(57)【特許請求の範囲】
【請求項１】
曝気槽と、該曝気槽の側壁にノズル先端が貫通している気液混合手段とを備えた気液接触装置であって、
前記気液混合手段が、内部に流路狭小部を形成し前記流路狭小部の下流側に配管接続のための開口を設けた液体供給配管と、前記液体供給配管の開口に挿入した気体供給配管とを備え、前記液体供給配管に液体を流入することにより、前記流路狭小部下流の開口近傍に負圧が発生し、前記開口から気体を吸引し液体中に分散することができるようになっており、
前記気液混合手段のノズル先端より高い位置において、前記気液混合手段のノズルの鉛直方向真上に攪拌機を備え、
前記攪拌機が、前記気液混合手段より高い位置において、前記攪拌機の攪拌面と前記気液混合手段の前記ノズルの向く方向とが垂直になるように設置されている気液接触装置。
【請求項２】
曝気槽と、該曝気槽の側壁にノズル先端が貫通している複数の気液混合手段とを備えた気液接触装置であって、
前記気液混合手段が、内部に流路狭小部を形成し前記流路狭小部の下流側に配管接続のための開口を設けた液体供給配管と、前記液体供給配管の開口に挿入した気体供給配管とを備え、前記液体供給配管に液体を流入することにより、前記流路狭小部下流の開口近傍に負圧が発生し、前記開口から気体を吸引し液体中に分散することができるようになっており、
前記気液混合手段のノズル先端より高い位置において、前記曝気槽の側壁に並列配置された前記気液混合手段のノズルの間の位置に攪拌機を備え、
前記攪拌機が、前記気液混合手段より高い位置において、前記攪拌機の攪拌面と前記気液混合手段の前記ノズルの向く方向とが垂直になるように設置されている気液接触装置。
【請求項３】
前記攪拌機が、傾斜パドルである請求項１または２に記載の気液接触装置。
【請求項４】
燃焼排ガス中の硫黄酸化物をアルカリを含む吸収液により洗浄して脱硫するための排煙脱硫装置であって、
請求項１〜３のいずれか１項に記載の気液接触装置と、
前記気液接触装置の曝気槽に設けられた吸収液の吸い込み口から吸収液を吸い込み、前記気液接触装置の液体供給配管に循環させる循環ポンプと、
前記吸収液を噴出し排煙と接触させる散布手段とを備えた排煙脱硫装置。
【発明の詳細な説明】
【技術分野】
【０００１】
本発明は、気液接触装置およびそれを用いた排煙脱硫装置に関する。
【背景技術】
【０００２】
石炭火力発電所排ガス等の脱硫装置として湿式脱硫装置が一般的に用いられている。湿式脱硫装置においては、排ガス中に含まれるＳＯ2等の硫黄酸化物を石灰石等のアルカリを含む溶液に接触吸収させ、生じた亜硫酸イオンを含む溶液を液溜め部で受けたのち、酸素含有ガス（一般的には空気）と接触酸化させることにより硫酸塩（石膏）に変換する処理が行われている。
【０００３】
かかる湿式排煙脱硫装置においては、アルカリを含む溶液を液溜め部に設けられた吸い込み口より汲み上げて再度硫黄酸化物の吸収液として利用することが行われているが、亜硫酸イオンが残留した吸収液を使用すると脱硫性能が低下するので、ポンプサクションから吸い込む前に液溜め部全体に酸素含有ガスを行き渡らせ、亜硫酸イオンの充分な酸化を行っておく必要がある。
【０００４】
このような気液混合攪拌手段としては、ブロワを用いて曝気槽へ気体を直接供給する配管と、供給された気体を剪断しかつ微細化して前方に押し出す攪拌機とを組み合わせた構成がこれまで知られている（特許文献１の図１３（ｃ）や特許文献２を参照）が、最近では、ブロワレスな気液混合供給が実現可能で、可動部がなくメンテナンス性に優れ、低コストである点で、ジェットエアスパージャー［ＪＡＳ］が好適に用いられている。
【０００５】
ＪＡＳとは、図９に示すように、内部に流路狭小部９１を形成した液体供給配管９２と該液体供給配管内部の流路狭小部下流域に開口部９３を設けて連結した気体供給配管９４とを備えた気液混合攪拌手段である。液体供給配管に供給された液体の流れは、流路狭小部の下流域に負圧領域９５を発生し、エジェクタ効果によって分岐配管から供給される気体９６を吸引しつつノズルから排出する。これにより気泡を含む噴流の供給がブロワを用いることなく実現できる。
【０００６】
しかしながらＪＡＳから供給される気液混合された噴流の流線は直線的であり、流線に垂直な方向への気液混合流の供給が不充分になりやすい傾向がある。
そこでこれまで排煙脱硫装置においては、図１０に示すように曝気槽１００全体への充分な気泡供給効果を担保するため、吸い込み口１０２を設けた側壁と対向する側壁にＪＡＳ１０１を複数本、間隔Ｌ２を狭めて並列に配置する構成が採用されている。
【特許文献１】国際公開００／００９２４３号パンフレット
【特許文献２】特開２００４−１８１３２７号公報
【発明の開示】
【発明が解決しようとする課題】
【０００７】
ＪＡＳ自体は安価であるので、複数本設けることは可能である。しかしながら、ＪＡＳの各々から所定の圧力で噴流を出すためには循環ポンプの出力を上げる必要があり必然的に循環ポンプの消費電力が増大するという問題がある。
またＳＯx含有量が少なく、本来であればＪＡＳの本数を減らしても液溜め部に酸化に充分な酸素量を供給できる排ガスの処理に際してＪＡＳを過剰数配置しなければならないという問題もある。
【０００８】
本発明は上記現状に鑑み、大型の吸収液溜め槽において曝気する際、効率的な気液混合攪拌を行うことができる気液接触装置、ならびに、該気液接触装置を組み込んだ排煙脱硫装置を提供することを目的とする。
【課題を解決するための手段】
【０００９】
本発明は、上記課題を解決するためになされたものである。すなわち、本発明に係る気液接触装置は、前記目的を達成するために、曝気槽と、該曝気槽の側壁にノズル先端が貫通している気液混合手段と攪拌機とを備えた気液接触装置であって、前記気液混合手段が、内部に流路狭小部を形成し前記流路狭小部の下流側に配管接続のための開口を設けた液体供給配管と、前記液体供給配管の開口に挿入した気体供給配管とを備え、前記液体供給配管に液体を流入することにより、前記流路狭小部下流の開口近傍に負圧が発生し、前記開口から気体を吸引し液体中に分散することができるようになっており、前記攪拌機が、前記気液混合手段より高い位置において、前記気液混合手段から供給される噴流の流線に対して攪拌面が垂直になるように配置されているものである。
本発明に係る排煙脱硫装置は、燃焼排ガス中の硫黄酸化物をアルカリを含む吸収液により洗浄して脱硫するための排煙脱硫装置であって、前記気液接触装置と、前記気液接触装置の曝気槽に設けられた吸収液の吸い込み口から吸収液を吸い込み、前記気液接触装置の液体供給配管に循環させる循環ポンプと、
前記吸収液を噴出し排煙と接触させる散布手段とを備えたものである。
【発明の効果】
【００１０】
本発明の気液接触装置を用いることにより、気液混合手段によって生じる循環流が届かない領域にも気液混合流を行き渡らせることができ、曝気槽の有効体積を大きくすることができる。
本発明の気液接触装置を用いることにより、隣り合う気液混合手段の間隔を考慮する必要がなくなり、気液混合手段の配置を自由に設定することができる。また、気液混合手段の本数を減らしても曝気槽全体に気泡を行き渡らせることができるので、気液混合手段への液体供給に要する消費電力を低減することができる。
本発明の排煙脱硫装置においては、本発明の気液接触装置を採用していることにより、硫黄酸化物を吸収して生成する亜硫酸イオンの酸化を曝気槽全体にわたって充分行うことができる結果、散布手段にて散布される吸収液中の亜硫酸イオンを低減し、脱硫性能の低下を抑制することができる。
本発明の排煙脱硫装置は、また硫黄酸化物の含有量が少なく、本来であればＪＡＳの本数が少なくても液溜め部に酸化に充分な酸素量を供給できる燃焼排ガスの処理に際して、ＪＡＳを過剰数設置する必要がなくなり、設置すべきＪＡＳの本数が減ることにより、吸収液を所定の圧力でＪＡＳへ循環供給するための循環ポンプの消費電力コストを抑制することができる。
【発明を実施するための最良の形態】
【００１１】
以下に、本発明を、図面を参照して詳細に説明する。同じ部材には同じ符号を付して表した。なお、本発明は以下に説明する形態に制限されるものではない。
本発明の気液接触装置は、曝気槽の側壁より底面に向けて気液混合手段を配設している。気液混合手段としては、内部に流路狭小部を形成し、前記流路狭小部直後に配管接続のための開口を設けた液体供給配管と、前記液体供給配管の開口に挿入した気体供給配管とを備え、前記液体供給配管に液体を流入することにより、前記流路狭小部直後の領域に負圧が発生し、前記開口から気体が引き込まれ液体とともに噴流が前記曝気槽へ流出するジェットエアスパージャー［ＪＡＳ］を採用することができる。
【００１２】
曝気槽におけるＪＡＳは、気泡が曝気槽の深層部において液体と充分接触するようにそのノズル先端を曝気槽底面に向けて配置する。
図１に示すように曝気槽１０側面に設置されたＪＡＳノズル１１から吹き出す噴流１２の流線は、ＪＡＳノズルの吹き出し口１３付近においてはＪＡＳノズル１１の向く方向とほぼ同一であるが、噴流が所定の噴流到達距離Ｌ１まで達したのちには水平方向の運動量を失い、気泡の浮力に従って鉛直方向上方に向く。水面近くに達した噴流は、図２（ｂ）の曝気槽側面図に示すように、噴流の吹き出し方向に沿った流れ２１ａ、２１ｂを生じさせる。流れ２１ａは深さ方向の循環流を形成し、流れ２１ｂの一部は、曝気槽１０の側壁２２付近に達し、図２（ａ）の曝気槽平面図に示すように、横方向にある程度の広がりをもった流れ２１ｃを生じさせる。
しかしながらＪＡＳノズル１１のみを用いた構成では、噴流の横方向への広がりが乏しく、気泡が充分に行き届かない領域２３が生じる。またノズル吹き出し口の真上または真下の領域にも、気泡が充分に行き届かない領域２４が生じる。
【００１３】
本発明者らは、鋭意研究した結果、攪拌機をＪＡＳの主噴流の流線に対して攪拌面が垂直になるように設置することが、曝気槽全体に気泡を行き届かせるために最も効率的であることを見いだした。
「流線」とは、通常JASより噴出された噴流は気泡を伴って上昇流に転じ水面に達することから、JASノズル先端より噴出された流体の噴流動圧あるいは流速が最も高い地点をJASノズル先端から水面まで結んだ線となる。流体の流速の計測方法として、動圧や超音波干渉により計測するなどさまざまあるが、大きなタンク内の流動計測には３次元電磁流量センサー等が好適に用いられる。「攪拌面」とは、攪拌機の回転軸に対して垂直な面のうち、攪拌翼が通過する面をいう。
【００１４】
本発明の一つの態様として、図３では、攪拌機３１はＪＡＳノズル３２の吹き出し口付近に設置している。本態様では、図３（ｂ）から明らかなようにＪＡＳノズル３２の真上に、ＪＡＳノズル３２の向く方向と攪拌機３１の攪拌面３６とが垂直になるように設置している。このように攪拌機を設置することにより、ＪＡＳの主噴流３３を乱すことなく、むしろＪＡＳの主噴流が行き届かない領域を補完するように新たに攪拌機の回転中心から放射方向の流れ３４と回転軸方向の流れ３５が生じ、ノズル吹き出し口の真上または真下の気泡が少ない領域２２に充分な気泡を供給するための新しい循環流を作り出す。
攪拌機３１は、通常ＪＡＳノズル３２より高い位置に設ける。ＪＡＳノズル３２より低い位置に設けた場合、水深が深くなることにより水圧が高くなり、必然的に攪拌機３１の駆動に要する電力が増大するからである。
攪拌機の回転数は、通常、１０ｒｐｍ〜１００ｒｐｍの間とする。１０ｒｐｍ未満であると、気泡が少ない領域への気体の供給が不充分となる場合があり、１００ｒｐｍを超えるとＪＡＳの主噴流を乱す場合がある。
攪拌機の設置位置は、ＪＡＳノズルより高い位置であれば、ＪＡＳノズルの鉛直方向真上に限定されるわけではなく、例えば、曝気槽側壁に並列配置されたＪＡＳノズルの間の位置に設置してもよい。
また、攪拌機の設置個数は、ＪＡＳノズルの本数と同じであっても、異なっていてもよい。
【００１５】
本発明の気液接触装置の他の態様を図４に示す。噴流３３は上述のように所定の到達距離Ｌ１まで達した後運動量を失い、気泡の上昇に伴って鉛直方向上方に向く。攪拌機は、攪拌面４１が水面４２に対して平行になるように気液接触装置の天井４３から回転軸４４を鉛直方向に下ろして設置することもできる。
図４のように攪拌機を設置した場合、ＪＡＳの主噴流を乱すことなく、むしろＪＡＳの主噴流が行き届かない領域を補完するように新たに攪拌機の回転中心から放射方向の流れ４５が生じ、ノズル吹き出し口からの噴流が行き届かない領域２３に充分な気泡を供給するための循環流となる。
【００１６】
本発明の気液接触装置は、以上のように、攪拌面がＪＡＳの主噴流の流線に対して垂直になるように攪拌機を配置していることにより、ＪＡＳの主噴流を乱さず、新たに種々の循環流等を生じさせることができ、曝気槽において気泡が行き届かない領域を著しく少なくすることができる。
【００１７】
本発明の気液接触装置において採用しうる攪拌機の種類としては、特に限定されないが、例えば、タービン型、傾斜パドル、プロペラ型、パドル型、アンカーパドル型、門型パドル型、リボン型等の種々のインペラ形状を有する攪拌機を用いることができる。なかでも放射方向への攪拌力のみならず、前方への押し出しを強めたタイプの攪拌機が特に効果的であり、傾斜パドルが好適に用いられる。
【００１８】
本発明の気液接触装置は、ごみ処理、石炭燃焼等の際に発生する排煙の脱硫装置；スラリーの曝気を行う回分反応器等の化学合成プラント用装置等曝気を要する装置に適用しうるが、なかでも燃焼排ガス中の硫黄酸化物をアルカリを含む吸収液により洗浄して脱硫するための排煙脱硫装置に好適に採用することができる。
【００１９】
本発明に係る排煙脱硫装置の一態様を図５に示す。
図５にかかる排煙脱硫装置５０では、上述した本発明に係る気液接触装置１００と、前記気液接触装置の曝気槽５１側壁に設けられた吸収液の吸い込み口５２から吸収液５３を吸い込み、前記気液接触装置の液体供給配管５４に循環させる循環ポンプ５５と、前記吸収液を噴出し排煙と接触させるスプレーノズル等の散布手段５６とを備えている。
本構成では、循環ポンプ５５が、液体供給配管５４に吸収液を循環させるとともに、一部を排煙脱硫装置上部に設けた散布手段５６へ送液しているが、液体供給配管に吸収液を循環するポンプと、散布手段へ送液するポンプとは別個独立のものであってよい。
本発明に係る排煙脱硫装置の他の態様として、図６に示すように、特に並流ガス塔６１と向流ガス塔６２とを備えた二塔式（並向流式）の排煙脱硫装置６０において天井６３から攪拌機６４の回転軸６５を下ろす方式を採用することもまた可能である。
【００２０】
排煙脱硫装置の曝気槽に設けられる気液混合手段および攪拌機は、吸収液の吸い込み口から離れた位置に配置する。従って、曝気槽が角型の場合、図７（ａ）（ｂ）に示すように、通常、吸収液の吸い込み口７１を設けた曝気槽側面７２と対向する面７３に液体供給配管７４および攪拌機７５を並列に設置する。また曝気槽が円筒状の場合、図８に示すように、ＪＡＳノズル７４および攪拌機７５が円筒底面の中心付近に向くように円筒側壁に配置することができる。これにより噴流中の微細な気泡が循環ポンプに吸い込まれ、ポンプ性能を低下させるのを防ぐことができる。
【００２１】
曝気槽は、吸収液の吸い込み口付近にパンチングプレート７６等の気泡遮断手段を備えることが好ましい。これにより微細な気泡の循環ポンプへの吸入をより確実に防ぐことができる。
【００２２】
本発明の排煙脱硫装置においては、本発明の気液接触装置を採用していることにより、硫黄酸化物を吸収して生成する亜硫酸イオンの酸化を曝気槽全体にわたって充分行うことができる結果、散布手段にて散布される吸収液中の亜硫酸イオンを低減し、脱硫性能の低下を抑制することができる。
【００２３】
本発明の排煙脱硫装置は、また硫黄酸化物の含有量が少なく、本来であればＪＡＳの本数が少なくても液溜め部に酸化に充分な酸素量を供給できる燃焼排ガスの処理に際して、ＪＡＳを過剰数設置する必要がなくなり、設置すべきＪＡＳの本数が減ることにより、吸収液を所定の圧力でＪＡＳへ供給するための循環ポンプの消費動力等の増加を抑制することができる。
【実施例】
【００２４】
実施例１
図７に示すように一室式吸収塔を備えた湿式排煙脱硫装置の幅２１ｍ奥行き９．９ｍのタンクに高さ５ｍまで濃度５０mmol/lの石灰石（炭酸カルシウム）を含む濃度３０質量％の石膏スラリーを貯留した。つぎに幅２１ｍのタンク壁面に、噴流口がタンク底面に向くようにＪＡＳ（ノズル口径１５０Ａ、流路狭小部口径１１０ｍｍ）を７本等間隔に設け、ＪＡＳノズル中心から３ｍ上方に、翼直径１．６ｍのタービン型攪拌機を、攪拌面がＪＡＳのノズル口から垂直になるように６ｍ間隔で３基配置した。またＪＡＳを設置した壁面と対向する壁面の下部に吸入口を設けた。
ポンプサクションによって吸入口からタンク中の水溶液を汲み上げ、汲み上げた溶液の一部をタンクの上部配管に設けたスプレーノズルから吹き上げることにより、５００ｐｐｍのＳＯｘ濃度の排ガスと接触させＳＯｘを吸収した。一方排ガスの吸収に用いなかった一部の水溶液はＪＡＳの液体供給配管へ循環させ、空気の気泡を含む水溶液を噴流の到達距離６ｍでタンク中に噴出した。ＪＡＳ１本あたりの液流量は４７０ｍ3／ｈ、ＪＡＳ１本あたりの空気流量は２３０ｍ3／ｈになるようにポンプ動力を設定した。
【００２５】
実施例２
図６に示すように二室式吸収塔を備えた湿式排煙脱硫装置の幅２１ｍ奥行き２０ｍのタンクに濃度５０mmol/lの石灰石（炭酸カルシウム）を含む濃度３０質量％の石膏スラリーを貯留した。流路狭小部口径１１０ｍｍ）を７本等間隔に設けた。またＪＡＳを設置した壁面と対向する壁面の下部にポンプサクションを設け、攪拌機は、タンク天井から翼直径１．６ｍのタービン型攪拌機を攪拌面が水面に平行になるように８ｍの間隔を置いて２基配置した。２基の攪拌機はＪＡＳノズル先端から１０ｍ離間した位置に設けた。
ポンプサクションによって吸入口からタンク中の水溶液を汲み上げ、汲み上げた溶液の一部をタンクの上部配管に設けたスプレーノズルから吹き上げることにより、５００ｐｐｍのＳＯｘ濃度の排ガスと接触させＳＯｘを吸収した。一方排ガスの吸収に用いなかった一部の水溶液は、ＪＡＳの液体供給配管へ循環させ、
空気の気泡を含む水溶液を噴流の到達距離６ｍでタンク中に噴出した。
【００２６】
実施例１および実施例２において、攪拌機を運転した場合（回転数３０ｒｐｍ）と、運転しなかった場合とでポンプサクション液中の亜硫酸イオンの濃度を比較した。なお、亜硫酸イオンの濃度は、スラリーをサンプリングしてヨードメトリーで測定した。結果を表１に示す。
【００２７】
【表１】
0005046755.tif 000002
表１から、実施例１および２のいずれの設置形態であっても、亜硫酸イオン濃度が低下しており、噴流に対して所定の方向へ攪拌基を設置することにより、攪拌による気液接触性能が向上していることがわかった。
【図面の簡単な説明】
【００２８】
【図１】図１は、ＪＡＳノズルの噴流の流線を示す模式図である。
【図２】図２は、ＪＡＳノズルのみを用いた場合の気泡の少ない領域を示した図である。
【図３】図３は、本発明の気液接触装置における攪拌機の設置位置の一態様を示す模式的平面図（ａ）および模式的側面図（ｂ）である。
【図４】図４は、本発明の気液接触装置における攪拌機の設置位置の一態様を示す模式的平面図（ａ）および模式的側面図（ｂ）である。
【図５】図５は、本発明の排煙脱硫装置の全体的概要を示す模式図である。
【図６】図６は、本発明の排煙脱硫装置の一態様として二塔式排煙脱硫装置を示す模式図である。
【図７】図７は、本発明の排煙脱硫装置における気液混合手段の設置態様の一例を示す模式的平面図（ａ）および模式的側面図（ｂ）である。
【図８】図８は、本発明の排煙脱硫装置における気液混合手段の設置態様の一例を示す模式的平面図である。
【図９】図９は、気液混合手段の内部構造および構成を示す模式的断面図である。
【図１０】図１０は、従来の排煙脱硫装置におけるＪＡＳノズルの配置態様を示す模式的平面図である。
【符号の説明】
【００２９】
１  気液接触装置
１０、５１、１００  曝気槽
１１、３２  気液混合手段（ＪＡＳノズル）
１２、３３  噴流
２１ａ，ｂ，ｃ  流れ
２２  曝気槽側壁
２３、２４  気泡が少ない領域
３１、６４、７５  攪拌機
３４、４５  放射方向流れ
３５  回転軸方向流れ
３６、４１  攪拌面
４２  水面
４３  天井
４４、６５  回転軸
５０、６０、７０  排煙脱硫装置
５２、７１  吸い込み口
５３  アルカリ吸収液
５４、７４  液体供給配管
５５  循環ポンプ
５６  散布手段
６１  並流ガス塔
６２  向流ガス塔
６３  天井
７２  曝気槽側面
７３  対向面
７６  パンチングプレート
９１  流路狭小部
９２  液体供給配管
９３  開口部
９４  気体供給配管
９５  負圧領域
９６  気体
１０１  ＪＡＳ
【図１】
0005046755.tif 000003
【図２】
0005046755.tif 000004
【図３】
0005046755.tif 000005
【図４】
0005046755.tif 000006
【図５】
0005046755.tif 000007
【図６】
0005046755.tif 000008
【図７】
0005046755.tif 000009
【図８】
0005046755.tif 000010
【図９】
0005046755.tif 000011
【図１０】
0005046755.tif 000012